(57)【要約】【課題】 暗号鍵システムの発明をテレビジョンシステム、データベースシステムあるいは電子商取引システム等に適用するための具体的な構成を得る。【解決手段】 このシステムは放送局、データベース、受信装置、データ通信装置及びユーザ端末装置から構成され、暗号鍵方式としては秘密鍵方式、公開鍵方式、デジタル署名方式が用いられこれらの鍵は暗号化されあるいは暗号化されないで放送によって供給される。本発明は、データベースシステムの不正利用の防止、著作権の管理、ペイパービューシステム、ビデオオンデマンドシステムにおいて有効であり、さらには電子データ情報システムを利用した電子マーケットの実現において有効な手段である。【選択図】図２
2006180562.tif 000002
【特許請求の範囲】
【請求項１】
放送局、データベース、受信装置、データ通信装置及びユーザ端末装置から構成される暗号鍵システムであって：前記暗号鍵システムは、前記データベースと前記放送局との間は専用回線等のオンライン通信手段あるいはフレキシブルディスク等のオフライン手段で接続され；前記データベースと前記データ通信装置の間は通信回線で接続され；前記放送局と前記受信装置の間は電波で接続され；前記受信装置と前記ユーザ端末装置との間及び前記データ通信装置と前記ユーザ端末装置との間は直接にオンライン手段であるいはフレキシブルディスク等のオフライン手段で接続され；前記データベースは公開鍵と専用鍵を用意して前記放送局に前記公開鍵を供給し；前記放送局は受け取った前記公開鍵を放送し；前記受信装置は受信した前記公開鍵を前記ユーザ端末装置に転送し；前記ユーザ端末装置は転送された前記公開鍵を保存し；ユーザは希望するデータの利用を申し込む際にユーザの秘密鍵を前記受信した公開鍵を用いて暗号化して前記データベースに送信し；データの利用申込を受けた前記データベースは、前記ユーザの前記秘密鍵を前記専用鍵を用いて復号化し、復号された前記ユーザの前記秘密鍵を用いてデータを暗号化し、前記通信回線を経由して前記データ通信装置に送信し；前記ユーザは受け取ったデータを前記ユーザ端末装置に転送し、前記秘密鍵を用いてデータを復号化する暗号鍵システム。
【請求項２】
前記公開鍵に前記データベースのデジタル署名がなされているクレーム１の暗号鍵システム。
【請求項３】
ＣＡＴＶ放送局、課金センタ、受信装置、データ通信装置及びユーザ端末装置から構成される暗号鍵システムであって：前記暗号鍵システムは、前記ＣＡＴＶ放送局と前記受信装置の間及び前記ＣＡＴＶ放送局と前記データ通信装置の間はＣＡＴＶ回線で接続され；前記受信装置と前記ユーザ端末装置との間及び前記データ通信装置と前記ユーザ端末装置との間は直接にオンライン手段によってあるいはフレキシブルディスク等のオフライン手段で接続され；ユーザはユーザの公開鍵をＣＡＴＶ放送局に予め登録するか又は利用申込時に提示し；前記ＣＡＴＶ放送局はテレビジョン番組をＣＡＴＶ放送局の前記秘密鍵を用いて暗号化し、利用申込を行った前記ユーザの公開鍵を用いて前記ＣＡＴＶ放送局の利用許可鍵である秘密鍵を暗号化してＣＡＴＶ回線を経由して放送し；前記ユーザは前記受信装置で前記テレビジョン番組及び前記秘密鍵を受信し、前記公開鍵に対応する専用鍵を用いて前記秘密鍵を復号化し、復号された前記秘密鍵でテレビジョン番組を復号化する暗号鍵システム。
【請求項４】
ＣＡＴＶ放送局、データ管理センタ、受信装置、データ通信装置及びユーザ端末装置から構成される暗号鍵システムであって：前記暗号鍵システムは、前記ＣＡＴＶ放送局と前記データ管理センタの間は専用回線等のオンライン通信手段あるいはフレキシブルディスク等のオフライン手段で接続され；前記ＣＡＴＶ放送局と前記受信装置の間及び前記ＣＡＴＶ放送局と前記データ通信装置の間はＣＡＴＶ回線で接続され；前記受信装置と前記ユーザ端末装置との間及び前記データ通信装置と前記ユーザ端末装置との間は直接にオンライン手段であるいはフレキシブルディスク等のオフライン手段で接続され；前記データ管理センタは公開鍵と供給するデータ各々の秘密鍵を用意し前記ＣＡＴＶ放送局に供給し；前記ＣＡＴＶ放送局は前記データ管理センタの公開鍵を用いて前記データ管理センタの秘密鍵を暗号化して放送し；ユーザは前記データ通信装置を用いて前記ＣＡＴＶ回線を経由し前記ＣＡＴＶ放送局を介して前記データ管理センタにデータの利用を申し込むとともに前記ユーザの公開鍵を送信し；前記データ管理センタは前記データ各々の秘密鍵を用いて各々のデータを暗号化し、前記ユーザの公開鍵を用いて前記データ管理センタの公開鍵を暗号化し、暗号化された各々のデータ、暗号化された前記データ管理センタの公開鍵及びデータ管理センタの専用鍵を前記ユーザに送信し；前記ユーザは前記ユーザの専用鍵を用いて前記データ管理センタの公開鍵を復号化し、復号化された前記データ管理センタの公開鍵を用いて暗号化された前記データ各々の秘密鍵を復号化し、複合化された前記データ各々の秘密鍵を用いて前記各々のデータを復号化する暗号鍵システム。
【請求項５】
前記公開鍵に前記データ管理センタのデジタル署名がなされているクレーム４の暗号鍵システム。
【請求項６】
ＣＡＴＶ放送局、データ管理センタ、受信装置、データ通信装置及びユーザ端末装置から構成される暗号鍵システムであって：前記暗号鍵システムは、ユーザの公開鍵を予め前記データ管理センタに登録しておき；前記データ管理センタは、前記データ管理センタの公開鍵を前記各ユーザの公開鍵を用いて暗号化し、前記データ管理センタの専用鍵を用いて前記データ管理センタの公開鍵にデジタル署名を行い；暗号化された前記データ管理センタの公開鍵及び前記データ管理センタのデジタル署名をＣＡＴＶ放送局に送信し；前記ＣＡＴＶ放送局は暗号化された前記データ管理センタの公開鍵及びデジタル署名を放送し；前記ユーザは前記ユーザの公開鍵を用いて受信した前記データ管理センタの暗号化公開鍵を復号化するとともに前記復号化されたデータ管理センタの公開鍵を用いてデジタル署名を確認する暗号鍵システム。
【請求項７】
さらに、各ユーザの暗号化されていないユーザ識別情報が暗号化された前記データ管理センタの公開鍵に付与して放送されるクレーム６の暗号鍵システム。
【請求項８】
ＣＡＴＶ放送局、データ管理センタ、受信装置、データ通信装置及びユーザ端末装置から構成される暗号鍵システムであって：前記暗号鍵システムは、ユーザは前記データ管理センタにデータの利用を要求する毎に前記ユーザの公開鍵を前記データ管理センタに提示し；前記ユーザからのデータ利用要求を受けた前記データ管理センタは利用要求されたデータを前記ユーザの公開鍵を用いて暗号化して前記ＣＡＴＶ放送局に送信し；前記ＣＡＴＶ放送局は受け取った前記暗号化されたデータを放送し；放送された前記暗号化データを受信した前記ユーザは前記暗号化データを前記ユーザの専用鍵を用いて復号化する暗号鍵システム。
【発明の詳細な説明】
【技術分野】
【０００１】
本発明は、テレビジョンシステム、データベースシステムあるいは電子情報交換（Electronic Data Interchange：ＥＤＩ）を利用する商取引システム等において用いられる暗号鍵システムに係るものである。
【背景技術】
【０００２】
情報化時代と言われる今日、通常の地上波放送の他に放送衛星（ＢＳ）、通信衛星（ＣＳ）と呼ばれる衛星放送、同軸ケーブルあるいは光ケーブルを利用したＣＡＴＶと呼ばれる有線ＴＶ放送が普及しつつある。
【０００３】
同時に数１０チャンネルを配信することができる衛星放送あるいはＣＡＴＶ放送においては、包括的な契約によって視聴することができるスクランブルがかけられていない一般的なチャンネルの他に、包括的な契約によっては視聴することができないスクランブルされた映画・スポーツ・音楽等専門的なチャンネルが設けられている。これらのチャンネルを視聴するためにはスクランブルを解除するするために契約を行う必要があるが、この契約期間は通常１カ月程度の単位で行われるため、随時の契約によって視聴することができない。
【０００４】
本発明者らは、
【特許文献１】特開平６−４６４１９号
【特許文献２】特開平６−１４１０００４号  で公衆電信電話回線を通じて課金センタから視聴許可鍵を入手するとともに課金が行われ、視聴許可鍵を用いて番組毎に異なるスクランブルパターンで行われたスクランブルを解除して番組を視聴するシステムを、
【特許文献３】特開平６−１３２９１６号  でそのための装置を提案した。
【０００５】
これらのシステム及び装置において、スクランブルされた番組利用希望者は通信装置を使用し通信回線を経由して課金センタに利用申し込みを行い、課金センタはこの利用申し込みに対して通信装置に許可鍵を送信するとともに課金処理を行い料金を徴収する。通信装置で許可鍵を受信した利用希望者は通信装置と受信装置を接続する直接的な手段あるいはフレキシブルディスク等の間接的な手段によって許可鍵を受信装置に送り込み、許可鍵を送り込まれた受信装置はその許可鍵によって番組のスクランブルを解除し、利用希望者が番組を利用する。
【０００６】
特開平６−１３２９１６号にはこれらのシステム及び装置の応用として、各々異なるスクランブルパターンでスクランブルされた複数のデータが記録されたテープあるいはディスクを販売あるいは貸与し、ＩＣカード等により利用許可鍵を供給して特定のデータを利用するシステム及び装置も記載されている。
【０００７】
また、情報化時代と呼ばれる今日、これまでは各々のコンピュータが独立して保存していた各種のデータをＬＡＮ（Local Area Network）、ＷＡＮ（Wide Area Network）、これらを相互に接続したインターネットシステムによってコンピュータ通信ネットワークを構成し、相互に利用するデータベースシステムが普及しつつある。
【０００８】
一方、デジタル化すると情報量が膨大になるためデジタル化することができなかったテレビジョン動画信号を、圧縮することにより情報量を減少させ、実用的なデジタル化を可能にする技術が開発され、これまでにテレビジョン会議用のＨ.２６１規格，静止画像用のＪＰＥＧ（Joint Photographic image coding Experts Group）規格，画像蓄積用のＭＰＥＧ１（Moving Picture image coding Experts Group 1）規格及び現在のテレビジョン放送から高精細度テレビジョン放送に対応するＭＰＥＧ２規格が作成された。
【０００９】
これらの画像圧縮技術を利用したデジタル化技術はテレビジョン放送あるいはビデオ画像記録用に用いられるだけではなく、コンピュータでこれまで扱うことができなかったテレビジョン動画データを扱うことができるようになり、コンピュータが扱う各種のデータとデジタル化されたテレビジョン動画データを同時に取り扱う「マルチメディアシステム」が将来の技術として注目されている。このマルチメディアシステムもデータ通信に組み入れられ、データベース上のデータの一つとして利用される。
【００１０】
このようにしてデータベースの利用範囲が拡大する中で、データベース上のデータ利用に対する課金をどのようにして行うかということ及びデータの直接的な利用以外の複写あるいは転送等によって発生する著作権の問題及びデータの加工によって発生する２次的著作権の問題をどのようにして処理するかということが大きな問題となる。課金及び著作権の処理を確実に行うには、正規の利用者でなければデータの利用が不可能であるようにする必要があり、データを暗号化しておくことがそのための最良の手段である。
【００１１】
また、これまで紙に記載して行ってきた各種取引における情報を電子データ化し、データ通信技術を利用して相互に送受信する電子情報交換（ＥＤＩ）を利用して電子商取引を行う電子マーケットシステムが検討されており、さらに進んで電子商取引システムの決済を電子決済で行うことも検討されている。商取引においては取引内容の信頼性が要求され、決済においては安全性が要求される。したがって、このような信頼性と安全性が要求される電子商取引システム及び電子決済システムにおいては、データの改竄あるいは盗用が行われないようにデータを暗号化する必要がある。
【００１２】
これらのテレビジョンシステム、データベースシステムあるいは電子商取引システム等において、データを暗号化し、暗号化されたデータを復号化して利用するためには暗号鍵が必要であり、データ利用者に対して暗号鍵を渡さなければならないが、この作業は安全性及び確実性が要求されるため非常に煩雑である。
【００１３】
本発明はその構成においてデータ暗号技術が重要な役割を果たすが、初めにデータ暗号技術について一般的な説明を行う。データ暗号技術においては、平文データＭを暗号鍵Ｋを用いて暗号化し暗号文データＣを得る場合をＣ＝Ｅ（Ｋ，Ｍ）
と表現し、暗号文データＣを暗号鍵Ｋを用いて復号化し平文データＭを得る場合をＭ＝Ｄ（Ｋ，Ｃ）
と表現する。
【００１４】
データ暗号化技術において用いられる代表的な方式として、秘密鍵暗号方式と、公開鍵暗号方式がある。秘密鍵方式は、暗号化と復号化に同じ秘密鍵Ｋsを使用する暗号方式である。
Ｃmks＝Ｅ（Ｋs，Ｍ）
Ｍ＝Ｄ（Ｋs，Ｃmks）
【００１５】
公開鍵方式は、暗号鍵として暗号化用の鍵と復号化用の鍵が使用され、暗号化用の鍵が公開されており、復号化用の鍵が公開されていない暗号鍵方式であり、暗号化用の鍵は公開鍵Ｋbと呼ばれ、復号化用の鍵は専用鍵Ｋvと呼ばれる。この暗号方式を使用するには、情報を送る側は平文データＭをデータを受ける側の公開鍵Ｋbを用いて暗号化し、Ｃmkb＝Ｅ（Ｋb，Ｍ）
データを受け取った側は専用鍵Ｋvを用いて復号化し、平文データＭを得る。
Ｍ＝Ｄ（Ｋv，Ｃmkb）
この公開鍵方式は、暗号の解読が非常に困難である。
【００１６】
データ暗号技術の応用として、データの信頼性を確保するために電子データ認証手段としてデジタル署名が行われることがある。デジタル署名には、秘密鍵を用いるものと公開鍵を用いるものがあるが、一般的には公開鍵を用いて署名が行われる。公開鍵を用いて行われるデジタル署名において、署名者は文書Ｍをハッシュ(Hash)アルゴリズムで圧縮した文書ｍを署名者の専用鍵Ｋvを用いて暗号化することによりデジタル署名を得、Ｓmkv＝Ｅ（Ｋv，ｍ）
原文書Ｍあるいは圧縮文書ｍとデジタル署名Ｓmkvとを受信者に送信する。受信者は署名者の公開鍵Ｋbを用いてデジタル署名Ｓmkvを復号化し、ｍ’＝Ｄ（Ｋb，Ｓmkv）
ｍ’＝ｍであれば、署名が正しいことが確認される。
【発明の開示】
【発明が解決しようとする課題】
【００１７】
これらの暗号鍵を利用者に渡す方法として本発明者らは先願である特願平６−７０６４３号において「暗号鍵システム」と題する発明を提案した。
【００１８】
一般的に行われている暗号鍵システムにおいて暗号鍵が利用者だけに渡されるのに対して、この先願発明の暗号鍵システムにおける暗号鍵は利用者以外にも渡される。
【００１９】
図１に示されたのは特願平６−７０６４３号で提案された暗号鍵システムの構成である。このシステムは、ＢＳ・ＣＳ・地上波テレビジョンあるいはＦＭ等多重化放送あるいはデータ放送を行う放送局１、データベース２、課金センタ３、受信装置４、データ通信装置５及びユーザ端末装置８から構成されている。放送局１とデータベース２の間及びデータベース２と課金センタ３の間は専用回線等の通信回線あるいはフレキシブルディスク等の手段により接続されている。データベース２とデータ通信装置５の間は公衆回線あるいはＣＡＴＶ回線等の通信回線７で接続されている。放送局１と受信装置４の間は放送電波６で接続されている。受信装置４とユーザ端末装置８との間及びデータ通信装置５とユーザ端末装置８との間は接続ケーブル等の直接的な手段あるいはフレキシブルディスク等の間接的な手段により接続されている。
【００２０】
なお、この図において実線で示されたのは暗号化されていない情報の経路であり、破線で示されたのは暗号化されたデータの経路である。
【００２１】
このシステムにおいて、データベース２はデータ毎に異なる暗号鍵Ｋdを含む利用許可鍵Ｋp（以下「許可鍵」という）を放送局１に予め供給する。なお、理解しやすくするために、許可鍵Ｋpは暗号鍵Ｋdだけから構成されているものとして説明する。暗号鍵Ｋdは暗号化されずに供給される場合と共通暗号鍵Ｋ0を用いて暗号化され、Ｃkdk0＝Ｅ（Ｋ0，Ｋd）
暗号化暗号鍵Ｃkdk0として供給される場合がある。暗号鍵Ｋdが暗号化されて供給される場合には、暗号化暗号鍵Ｃkdk0を復号化するための共通暗号鍵Ｋ0がユーザに供給される。この共通暗号鍵Ｋ0の供給はユーザがデータベースに登録を行ったときに行われる場合と、暗号化データＣmkdが送られるときに暗号化データＣmkdとともにユーザに渡される場合がある。
【００２２】
（ａ）暗号鍵が暗号化されていない場合。
この暗号鍵システムにおいて、放送局１はデータベース２から供給された暗号鍵Ｋdを電波６を利用して放送する。受信装置４は受信した暗号鍵Ｋdをユーザ端末装置８に供給し、ユーザ端末装置８は受け取った暗号鍵Ｋdを半導体メモリ，フレキシブルディスクあるいはハードディスク等の記録媒体に保存する。データ利用希望者（ユーザ）はデータ通信装置５を用いて通信回線７を経由してデータベース２にデータＭの利用を申し込む。データＭの利用申し込みを受けたデータベース２は利用希望があったデータＭを許可鍵Ｋpである暗号鍵Ｋdを用いて暗号化し、Ｃmkd＝Ｅ（Ｋd，Ｍ）
暗号化データＣmkdを通信回線７を経由してユーザのデータ通信装置５に送信するとともに課金センタ３との間で課金処理を行う。データ通信装置５は受け取った暗号化データＣmkdをユーザ端末装置８に供給し、ユーザ端末装置８は記録媒体に保存されていた暗号鍵Ｋdを用いて暗号化データＣmkdを復号化する。
Ｍ＝Ｄ（Ｋd，Ｃmkd）
【００２３】
（ｂ）暗号鍵が暗号化され、共通暗号鍵が予めユーザに配布されている場合。
この暗号鍵システムにおいて、ユーザがデータベースを利用することを登録するときに、共通暗号鍵Ｋ0がＲＯＭあるいはフレキシブルディスク等の記録媒体によってユーザに供給され、供給された共通暗号鍵Ｋ0はユーザ端末装置８に保存されている。データベース２は暗号鍵Ｋdを共通暗号鍵Ｋ0を用いて暗号化し、Ｃkdk0＝Ｅ（Ｋ0，Ｋd）
暗号化暗号鍵Ｃkdk0を放送局１に供給する。放送局１はデータベース２から供給された暗号化暗号鍵Ｃkdk0を電波６を利用して放送する。受信装置４は受信した暗号化暗号鍵Ｃkdk0をユーザ端末装置８に供給し、ユーザ端末装置８は初めに暗号化暗号鍵Ｃkdk0を予め保存されている共通暗号鍵Ｋ0を用いて復号化し、Ｋd＝Ｄ（Ｋ0，Ｃkdk0）
復号された暗号鍵Ｋdを半導体メモリ、フレキシブルディスクあるいはハードディスク等の記録媒体に保存する。
【００２４】
データ利用希望者はデータ通信装置５を用いて通信回線７を経由してデータベース２にデータＭの利用を申し込む。データの利用申し込みを受けたデータベース２は利用希望があったデータＭを暗号鍵Ｋdを用いて暗号化し、Ｃmkd＝Ｅ（Ｋd，Ｍ）
通信回線７を経由してデータ通信装置５に送信するとともに課金センタ３との間で課金処理を行う。データ通信装置５は受信した暗号化データＣmkdをユーザ端末装置８に供給し、ユーザ端末装置８は保存されていた暗号鍵Ｋdを用いて暗号化データＣmkdを復号化する。
Ｍ＝Ｄ（Ｋd，Ｃmkd）
【００２５】
（ｃ）暗号鍵が暗号化されており、共通暗号鍵が暗号化データとともにユーザに配布される場合。
この暗号鍵システムにおいて、データベース２は共通暗号鍵Ｋ0を用いて暗号鍵Ｋdを暗号化し、Ｃkdk0＝Ｅ（Ｋ0，Ｋd）
放送局１に供給する。放送局１はデータベース２から供給された暗号化暗号鍵ＣkdK0を電波６を利用して放送する。受信装置４は受信した暗号化暗号鍵Ｃkdk0をユーザ端末装置８に供給し、ユーザ端末装置８は暗号化暗号鍵ＣKdk0を半導体メモリ、フレキシブルディスクあるいはハードディスク等の記録媒体に保存しておく。
【００２６】
データ利用希望者はデータ通信装置５を用いて通信回線７を経由してデータベース２にデータＭの利用を申し込む。データの利用申し込みを受けたデータベース２は利用希望があったデータＭを暗号鍵Ｋdを用いて暗号化し、Ｃmkd＝Ｅ（Ｋd，Ｍ）
共通暗号鍵Ｋ0と一緒に通信回線７を経由してデータ通信装置５に送信するとともに課金センタ３との間で課金処理を行う。データ通信装置５は受信した暗号化データＣmkdと共通暗号鍵Ｋ0をユーザ端末装置８に供給し、ユーザ端末装置８は共通暗号鍵Ｋ0を用いて記録媒体に保存されていた暗号化暗号鍵Ｃkdk0を復号化し、Ｋd＝Ｄ（Ｋ0，Ｃkdk0）
復号化された暗号鍵Ｋdを用いて暗号化データＣmkdを復号化する。
Ｍ＝Ｄ（Ｋd，Ｃmkd）
【課題を解決するための手段】
【００２７】
本願においては、この先願に記載された暗号鍵システムの発明をテレビジョンシステム、データベースシステムあるいは電子商取引システム等に適用するための具体的な構成を提供する。このシステムは放送局、データベース、受信装置、データ通信装置及びユーザ端末装置から構成され、暗号鍵方式としては秘密鍵方式、公開鍵方式が採用され、さらにデジタル署名が用いられ、このとき用いられる暗号鍵は暗号化されあるいは暗号化されないで放送によって供給される。本発明は、データベースシステム、ペイパービューシステム、ビデオオンデマンドシステムにおける不正利用の防止、著作権の管理において有効であり、さらには電子情報情報システムを利用した電子マーケットの実現において有効な手段である。
【発明を実施するための最良の形態】
【００２８】
以下、図２〜図４を用いて本願発明の実施例を説明する。
［第１実施例］図２に示されたのは本願発明をデータベースシステムに適用した第１実施例の暗号鍵システムであり、このシステムは、ＢＳ・ＣＳ・地上波テレビジョンあるいはＦＭ放送等による多重化放送あるいはデジタル放送によりデータ放送を行う放送局１１、動画データを含む種々のデータが蓄積されたデータベース１２、課金センタ１３、放送局１１が放送するデータ放送を受信する受信装置１４、データベース１２と通信を行うデータ通信装置１５及びデータを利用するユーザ端末装置１８から構成されている。
【００２９】
データベース１２と放送局１１との間及びデータベース１２と課金センタ１３の間は専用回線等の通信回線で接続する直接的な手段あるいはフレキシブルディスク等の間接的な手段により接続されている。データベース１２とデータ通信装置１５の間は公衆回線あるいはＣＡＴＶ回線等の通信回線１７で接続されている。放送局１１と受信装置１４の間は地上波テレビジョン放送、衛星テレビジョン放送、ＣＡＴＶ放送、ＦＭ放送あるいは衛星データ放送等の電波１６で接続されている。受信装置１４とユーザ端末装置１８との間及びデータ通信装置１５とユーザ端末装置１８との間は接続ケーブル等の直接的手段あるいはフレキシブルディスク等の間接的な手段により接続されている。この図において実線で示されたのは暗号化されていないデータの経路であり、破線で示されたのは暗号化されたデータの経路である。なお、データベース１２と放送局１１との間及びデータベース１２と課金センタ１３の間のデータの受け渡しは原則として専用回線あるいはフレキシブルディスクにより行われるが、この他に公衆回線あるいは放送衛星、通信衛星、地上波放送によって行うこともできる。その場合にデータは暗号化される。
【００３０】
このシステムにおいては、暗号鍵方式として秘密鍵方式と公開鍵方式が採用される。データベース１２は公開鍵Ｋbdと専用鍵Ｋvdを用意し、放送局１１に公開鍵Ｋbdを供給する。公開鍵Ｋbdを受け取った放送局１１はアナログテレビジョン映像信号の帰線消去期間中の走査線を利用した文字多重放送、アナログテレビジョン音声信号の副音声帯域を利用したデータ放送、ＦＭ多重データ放送あるいはデジタルデータ放送で公開鍵Ｋbdを放送する。なお、この場合公開鍵Ｋbdにデータベース１１のデジタル署名を行うようにすることもできる。
【００３１】
このときにデータ利用の便のため、利用することができるデータのタイトルを記載した目次、データの内容紹介、商品カタログ、発注書、無記載の小切手、著作権情報を暗号化することなく供給することもできる。放送された公開鍵Ｋbdを受信した受信装置１４は、公開鍵Ｋbdをユーザ端末装置１８に転送し、転送された公開鍵Ｋbdを受け取ったユーザ端末装置１８は半導体メモリ、フレキシブルディスクあるいはハードディスク等の記録媒体に公開鍵Ｋbdを保存する。
【００３２】
目次あるいは内容紹介等によって利用を希望するデータを選択したユーザは、データ通信装置１５を用いて通信回線１７を経由してデータベース１２にデータＭの利用を申し込む。このときユーザは自分の秘密鍵Ｋsuを受信したデータベース１２の公開鍵Ｋbdを用いて暗号化し、Ｃksukbd＝Ｅ（Ｋbd，Ｍksu）
データベース１２に送信する。
【００３３】
データベース１２は、暗号化されたユーザの秘密鍵Ｃksukbdを専用鍵Ｋvdを用いて復号化し、Ｋsu＝Ｄ（Ｋvd，Ｃksukbd）
利用申し込みがなされたデータＭを復号化されたユーザの秘密鍵Ｋsuを用いて暗号化し、Ｃmksu＝Ｅ（Ｋsu，Ｍ）
通信回線１７を経由してユーザのデータ通信装置１５に送信する。
【００３４】
自分の秘密鍵Ｋsuを用いて暗号化されたデータＣmksuを受け取ったユーザはユーザ端末装置１８で、自分の秘密鍵Ｋsuを用いて暗号化された暗号化データＣmksuを復号化し、Ｍ＝Ｄ（Ｋsu，Ｃmksu）
利用する。
【００３５】
このシステムにはデータベース１２に連動する課金センタ１３が設けられている。この課金センタ１３は、データが有料で提供される場合には利用されるが、データがショッピング情報等無料で提供されるデータである場合には利用されない。しかし、ショッピング情報等無料で提供されるデータであっても、受・発注にともなう代金清算が行われる場合には利用される。
【００３６】
［第２実施例］図３に示されたのは、本願発明を利用希望者からの希望に応じてテレビジョン番組を放送するビデオオンデマンド（Video On Demand：ＶＯＤ）システムに適用した第２実施例の暗号鍵システムである。このシステムはＣＡＴＶ放送局２１、課金センタ２３、受信装置２４、データ通信装置２５及びユーザ端末装置２８から構成される。課金センタ２３は、テレビジョン番組が有料で提供される場合には利用されるが、テレビジョン番組が広告付き等無料で提供される場合には利用されない。このシステムにおいて、暗号化されたテレビジョン放送番組と暗号鍵とは単一の経路であるＣＡＴＶ回線２７で送信される。
【００３７】
ＣＡＴＶ放送局２１と課金センタ２３の間は専用回線等の通信回線により電気的に接続する直接的手段あるいはフレキシブルディスク等の間接的な手段により接続されている。ＣＡＴＶ放送局２１と受信装置２４の間及びＣＡＴＶ放送局２１とデータ通信装置２５の間はＣＡＴＶ回線２７で接続されている。受信装置２４とユーザ端末装置２８との間及びデータ通信装置２５とユーザ端末装置２８との間は接続ケーブル等の直接的な手段あるいはフレキシブルディスク等の間接的な手段により接続されている。この図において実線で示されたのは暗号化されていないデータの経路であり、破線で示されたのは暗号化されたデータの経路である。なお、ＣＡＴＶ放送局２１と課金センタ２３の間のデータの受け渡しは原則として専用回線あるいはフレキシブルディスクにより行われるが、この他に公衆回線あるいは放送衛星、通信衛星、地上波放送によって行うこともできる。その場合にデータは暗号化される。
【００３８】
このシステムにおいては、ＣＡＴＶシステムもデータベースの一種として扱われ、暗号鍵方式として秘密鍵方式と公開鍵方式が採用される。このＶＯＤシステムを利用するユーザは自分の公開鍵ＫbuをＣＡＴＶ放送局２１に予め登録しておくかあるいは利用申込時に通信装置２５を用いて送信する。
【００３９】
ＣＡＴＶ放送局２１は送信されたユーザの公開鍵Ｋbuを用いてＣＡＴＶ放送局２１の秘密鍵Ｋsbを暗号化し、Ｃksbkbu＝Ｅ（Ｋbu，Ｋsb）
ＣＡＴＶ回線２７を経由してデータ通信装置２５に送信する。一方、テレビジョン番組ＭはＣＡＴＶ放送局２１の秘密鍵Ｋsbを用いて暗号化され、Ｃmksb＝Ｅ（Ｋsb，Ｍ）
ＣＡＴＶ回線２７を経由して受信装置２４に放送される。
【００４０】
ユーザは受信したＣＡＴＶ放送局２１の暗号化秘密鍵Ｃksbkbuをユーザの専用鍵Ｋvuを用いて復号化し、Ｋsb＝Ｄ（Ｋvu，Ｃksbkbu）
復号されたＣＡＴＶ放送局２１の秘密鍵Ｋsbを用いて暗号化テレビジョン番組Ｃmksbを復号化し、Ｍ＝Ｄ（Ｋsb，Ｃmksb）
利用する。
【００４１】
また、この暗号鍵システムは暗号化が可能ならばＣＡＴＶ以外のテレビジョン放送、音声放送あるいはデータ放送に対しても適用可能である。また、放送局から暗号鍵を送信する方法として、アナログテレビジョン映像信号の帰線消去期間中の走査線を利用した文字多重放送、アナログテレビジョン音声信号の副音声帯域を利用したデータ放送、ＦＭ多重データ放送あるいはデジタルデータ放送が利用可能である。
【００４２】
さらに、この暗号鍵システムは本発明者らが提案した先願である特願平６−６４８８９号、特願平６−２３７６７３号、特願平６−２６４１９９号、特願平６−２６４２０１号、特願平６−２６９９５９号に記載されたデータ著作権管理システムにおいて暗号鍵を配布する場合にも利用可能である。また、この暗号鍵システムは特開平６−１３２９１６号公報に記載されている本発明者らが提案した、複数の情報が複数の異なるパターンで暗号化されて記録されているＣＤ−ＲＯＭ等の記録媒体を利用する場合にも適用可能である。これらの先願発明について説明する。
【００４３】
特願平６−６４８８９号に記載されているデータ著作権管理システムの概要は次のようなものである。デジタル映像のリアルタイム送信も含むデータベースシステムにおけるデジタルデータの表示（音声化を含む），保存，複写，加工，転送における著作権の管理を行うために、利用申し込み者に対して暗号化されたデータの利用を許可する鍵の他に、必要に応じて著作権を管理するためのプログラム，著作権情報あるいは著作権管理メッセージの何れか一つあるいは複数を送信する。著作権管理メッセージは申し込みあるいは許可内容に反する利用が行われようとした場合に画面に表示され、ユーザに対して注意あるいは警告を行い、著作権管理プログラムは申し込みあるいは許可内容に反する利用が行われないように監視し管理を行う。
【００４４】
著作権管理プログラム，著作権情報及び著作権管理メッセージは、各々許可鍵とともに全体が供給される場合、データとともに全体が供給される場合及び一部が許可鍵とともに供給され、一部がデータとともに供給される場合がある。データ，許可鍵，著作権管理メッセージ、著作権情報及び著作権管理プログラムには、暗号化された状態で送信されるが利用時には暗号が解かれる場合、暗号化された状態で送信され表示の際のみに暗号が解かれその他の場合は暗号化された状態である場合、全く暗号化されない場合、の３つの場合がある。
【００４５】
特願平６−２３７６７３号に記載されているデータ著作権管理システムの概要は次のようなものである。このデータベース著作権管理システムは、暗号化されていないデータが蓄積されたデータベース、データベースからの暗号化されたデータを放送する衛星放送局等の放送局あるいはデータベースの暗号化されたデータが記録されたＣＤ−ＲＯＭ等の記録媒体であるデータ供給手段、通信ネットワーク、暗号鍵を管理する鍵管理センタ、データベースの著作権を管理する著作権管理センタから構成され、データベースを利用するためのデータベース利用プログラムおよび著作権を管理するための著作権管理プログラム、第１の暗号鍵、第２の暗号鍵が使用される。
【００４６】
１次ユーザはデータベースを利用するために予め鍵管理センタに登録を行い、その際にデータベース利用プログラムを配布されている。このデータベース利用プログラムには、１次ユーザに関する情報および情報を利用して所定のアルゴリズムにより１次ユーザ固有の暗号鍵を生成するプログラムが含まれている。データは暗号化されずにデータベースに蓄積されており、放送され、記録媒体に記録されあるいは通信ネットワークを経由することよって配布されるときに第１の暗号鍵で暗号化され、暗号化データとされる。暗号化データは、放送あるいは通信ネットワークを経由して配布された場合には１次ユーザ端末装置の半導体メモリ、フレキシブルディスクあるいはハードディスク等の記録媒体に保存され、ＣＤ−ＲＯＭ記録媒体に記録されて配布された場合にはそのままの状態あるいは１次ユーザ端末装置の半導体メモリ、フレキシブルディスクあるいはハードディスク等の記録媒体に保存される。
【００４７】
データベースから直接にデータを利用する１次ユーザは通信ネットワークを経由して、鍵管理センタに暗号化データを復号化して利用するための鍵を要求するが、このときに１次ユーザに関する情報を提示する。鍵管理センタは１次ユーザに関する情報を著作権管理センタに転送し、著作権管理センタは１次ユーザに関する情報Ｉを利用して所定のアルゴリズムにより１次ユーザ固有の暗号鍵を生成し、生成された１次ユーザ暗号鍵を利用して著作権管理プログラム、第１の暗号鍵および第２の暗号鍵を暗号化して、鍵管理センタに転送する。この１次ユーザに関する情報を利用して生成された暗号鍵を用いて暗号化された著作権管理プログラムは１次ユーザに固有のものである。
【００４８】
暗号化された著作権管理プログラムを受け取った鍵管理センタは各々暗号化された著作権管理プログラム、第１の暗号鍵、第２の暗号鍵を１次ユーザ端末装置に対して通信ネットワークを経由して１次ユーザ端末装置に送信し、１次ユーザは受信した暗号化著作権管理プログラム、暗号化第１暗号鍵、暗号化第２暗号鍵を半導体メモリ、フレキシブルディスクあるいはハードディスク等の記録媒体に保存する。
【００４９】
１次ユーザは、予め配布されているデータベース利用プログラムを用い所定のアルゴリズムにより１次ユーザに関する情報を利用して１次ユーザ固有の暗号鍵を生成し、生成された暗号鍵を用いて暗号化著作権管理プログラム、暗号化第１暗号鍵および暗号化第２暗号鍵を復号化し、復号された第１の暗号鍵を用いて暗号化データを復号化する。
【００５０】
以後復号されたデータの保存、コピーあるいは転送を行う場合には復号された著作権管理プログラムにより復号された第２暗号鍵を用いて暗号化が行われ、暗号化データが１次ユーザ端末装置内の半導体メモリ、フレキシブルディスクあるいはハードディスク等の記録媒体に保存され、１次ユーザが保存された暗号化データを利用するときには第２暗号鍵を用いて復号化し、この操作が繰り返されて１次利用が行われる。
【００５１】
暗号化データが外部記憶媒体にコピーされたときあるいは通信ネットワークを経由して２次ユーザ端末装置に転送された場合には、著作権管理プログラムにより第１暗号鍵および第２暗号鍵が廃棄され、１次ユーザは暗号化データを利用することができなくなる。このとき、暗号化データが１次ユーザ端末装置に保存されている場合には、保存されている暗号化データに、１次ユーザについての暗号化されていない情報が付加される。
【００５２】
１次ユーザが再度暗号化データを利用する場合には、著作権管理センタから第１暗号鍵と第２暗号鍵の再交付を受け、この再交付が行われたことにより、この１次ユーザから暗号化データのコピーあるいは転送を受けた２次ユーザが存在することが確認され、２次ユーザの存在が著作権管理センタに記録される。
【００５３】
コピーあるいは転送された暗号化データを受け取った２次ユーザは著作権管理センタに暗号化データの２次利用を申込む。２次ユーザは１次ユーザと異なり予め鍵管理センタに登録をしておく必要はなく、利用申込時に暗号化データのコピーあるいは転送を受けた１次ユーザの情報を著作権管理センタに提示することにより利用申込が受理される。このときに１次ユーザ情報が提示されない場合には、そのユーザは１次ユーザから暗号化データのコピーあるいは転送を受けた２次ユーザではなく、１次ユーザであると認められるため、その２次利用申込は受理されない。２次利用申込を受理した著作権管理センタは暗号化データを復号化するための第２暗号鍵、復号された暗号化データを再暗号化および再復号化するための第３暗号鍵、これらの復号化、再暗号化、再復号化を行う著作権管理プログラムを２次ユーザに送信する。
【００５４】
特願平６−２６４１９９号に記載されている著作権管理システムの概要は次のようなものである。この著作権管理システムにおいては、ユーザが用意する第１の公開鍵，第１の公開鍵に対応する第１の専用鍵，第２の公開鍵，第２の公開鍵に対応する第２の専用鍵とデータベース側が用意する第１の秘密鍵及び第２の秘密鍵が使用される。
【００５５】
データベース側では、暗号化されていないデータを第１の秘密鍵を用いて暗号化し、第１の秘密鍵を第１の公開鍵を用いて暗号化するとともに第２の秘密鍵を第２の公開鍵を用いて暗号化し、これらの暗号化されたデータ，暗号化第１秘密鍵及び暗号化第２秘密鍵をユーザに送信する。
【００５６】
ユーザは、暗号化第１秘密鍵を第１専用鍵を用いて復号化し、復号化された第１秘密鍵を用いて暗号化データを復号化し、利用するとともに、暗号化された第２秘密鍵を第２専用鍵を用いて復号化し、復号化第２秘密鍵は復号化以降におけるデータの保存・複写・転送時の暗号鍵として使用される。
【００５７】
特願平６−２６４２０１号に記載されているデータ著作権管理システムの概要は次のようなものである。データベースから入手した複数の暗号化されたデータを加工することにより新しいデータを作成し、暗号化して他人に供給する場合に、原材料である複数のデータの暗号鍵と、加工プロセスである加工プログラムをデジタル署名化したデータを利用許可鍵として使用する。加工され暗号化されたデータを受け取ったユーザが著作権管理センタにデジタル署名を提示して利用申込を行うと、著作権管理センタはデジタル署名に基づいて加工者を確認し、加工者が被加工データの正当なユーザであることが確認された場合にのみ、利用申込者に対して利用のための暗号鍵を提供する。
【００５８】
特願平６−２６９９５９号に記載されている方法の概要は次のようなものである。１次ユーザはデータベースから原データが第１の暗号鍵で暗号化された暗号化データを受け取り、復号化して利用するが、その後は第１の暗号鍵、１次ユーザデータ、データ利用回数の内の１つあるいはこれらを組み合わせて所定のアルゴリズムにより生成された第２の暗号鍵で暗号化されて保存、複写、転送が行われる。２次ユーザがデータの２次利用を要求すると著作権管理センタは原データの第１の暗号鍵、１次ユーザデータ、データ利用回数の内の１つあるいはこれらを組み合わせて所定のアルゴリズムにより第２の暗号鍵を生成し２次ユーザに提供する。第２の暗号鍵を提供された２次ユーザは、第２の暗号鍵を用いて暗号化された原データを復号化し、利用する。
【００５９】
［第３実施例］図４に示されたのは本願発明をデータベースシステムあるいはＶＯＤシステムに適用した第３実施例の暗号鍵システムである。この暗号鍵システムも図３に示された第２実施例の暗号鍵システムと同様に暗号鍵とテレビジョン放送番組とはＣＡＴＶ回線である単一の経路を通るが、これらを異なる経路を通るようにすることが可能であることはもちろんのことである。このシステムはデータ放送を行うＣＡＴＶ放送局３１、データベースあるいはビデオシステム等のデータ管理センタ３３、受信装置３４、データ通信装置３５及びユーザ端末装置３８から構成される。
【００６０】
データ管理センタ３３とＣＡＴＶ放送局３１の間は専用回線等の通信回線で接続する直接的な手段あるいはフレキシブルディスク等の間接的な手段により接続されている。ＣＡＴＶ放送局３１と受信装置３４の間及びＣＡＴＶ放送局３１とデータ通信装置３５の間はＣＡＴＶ回線３７で接続されている。なお、ＣＡＴＶ回線３７に代えて他の適当なデータ放送あるいはデータ通信可能な通信回線を使用することが可能である。受信装置３４とユーザ端末装置３８との間及びデータ通信装置３５とユーザ端末装置３８との間は接続ケーブル等の直接的な手段あるいはフレキシブルディスク等の間接的な手段により接続されている。この図において実線で示されたのは暗号化されていないデータの経路であり、破線で示されたのは暗号化されたデータの経路である。なお、データ管理センタ３３とＣＡＴＶ放送局３１の間のデータの受け渡しは原則として専用回線あるいはフレキシブルディスクにより行われるが、この他に公衆回線あるいは放送衛星、通信衛星、地上波放送によって行うこともできる。その場合にデータは暗号化される。
【００６１】
このシステムにおいて採られる暗号鍵方式は秘密鍵方式と公開鍵方式である。データ管理センタ３３は供給される全データに共通する公開鍵Ｋbd及び専用鍵Ｋvdとデータ各々で異なる秘密鍵Ｋsdiを用意しＣＡＴＶ放送局３１に供給する。ＣＡＴＶ放送局３１は受け取った秘密鍵Ｋsdiをデータ管理センタ３３の公開鍵Ｋbdを用いて暗号化して、Ｃksdikbd＝Ｅ（Ｋbd，Ｋsdi）
アナログテレビジョン映像信号の帰線消去期間中の走査線を利用した文字多重放送、アナログテレビジョン音声信号の副音声帯域を利用したデータ放送、ＦＭ多重データ放送あるいはデジタルデータ放送により放送する。このときにデータ利用の便のため、利用することができるデータのタイトルを記載した目次、あるいはデータの利用を促進するため、データの概要を説明する内容紹介を暗号化することなく供給することもできる。
【００６２】
目次あるいは内容紹介によって利用を希望するデータを選択したユーザは、データ通信装置３５を用いてＣＡＴＶ回線３７を経由しＣＡＴＶ放送局３１を介してデータ管理センタ３３にデータの利用を申し込む。このときユーザは自分の公開鍵Ｋbuをデータ管理センタ３３に送信する。ユーザからの利用申し込みを受けたデータ管理センタ３３は秘密鍵Ｋsdiを用いてデータＭを暗号化してＣmksdi＝Ｅ（Ｋsdi，Ｍ）
ユーザ端末装置３８に送信する。その時データ管理センタの専用鍵Ｋvdが利用申し込みを行ったユーザの公開鍵Ｋbuを用いて暗号化され、Ｃkvdkbu＝Ｅ（Ｋbu，Ｋvd）
ユーザ端末装置３８に送信される。
【００６３】
データ管理センタの暗号化専用鍵Ｃkvdkbuを受け取ったユーザは、データ管理センタの暗号化専用鍵Ｃkvdkbuをユーザの専用鍵Ｋvuを用いて復号化し、Ｋvd＝Ｄ（Ｋvu，Ｃkvdkbu）
復号化されたデータ管理センタの専用鍵Ｋvdを用いて暗号化秘密鍵Ｃksdikbdを復号化し、Ｋsdi＝Ｄ（Ｋvd，Ｃksdikbd）
復号されたデータ管理センタの秘密鍵Ｋsdiを用いて暗号化データＣmksdiを復号化してＭ＝Ｄ（Ｋsdi，Ｃmksdi）
利用する。
【００６４】
［第４実施例］第４実施例のシステム構成は図４に示された第３実施例と同じであるから説明は省略する。このシステムにおいて採られる暗号鍵方式は第３実施例と同様に秘密鍵方式と公開鍵方式であるが、第３実施例では利用申し込みを行ったユーザの公開鍵Ｋbuでデータ管理センタの専用鍵Ｋvdが暗号化されてユーザに送信されるのに対し、第４実施例においてはデータ管理センタの専用鍵Ｋvdが予めＩＣカード等を用いて配布されユーザ端末装置内に保存されている点及び第３実施例においてはデータＭがデータの利用を申し込みに対応して配信されるのに対し、第４実施例ではデータＭがＣＡＴＶ回線あるいは衛星放送により利用希望とは無関係に放送される点で異なる。
【００６５】
ユーザがデータ管理センタとデータベースを使用する包括的な契約を締結する際に、供給される全データに共通するデータ管理センタの専用鍵ＫvdがＩＣカード等の記録媒体によりあるいはＣＡＴＶ回線３７を経由して予めユーザに配布され、ユーザ端末装置３８内の半導体メモリ，ハードディスク装置あるいはフレキシブルディスクに保存されている。データ管理センタ３３は公開鍵Ｋbdと供給されるデータ各々で異なる秘密鍵Ｋsdiを用意しＣＡＴＶ放送局３１に供給する。秘密鍵Ｋsdiを受け取ったＣＡＴＶ放送局３１はその秘密鍵Ｋsdiを公開鍵Ｋbdを用いて暗号化し、Ｃksdikbd＝Ｅ（Ｋbd，Ｋsdi）
暗号化秘密鍵Ｋsdikbdをアナログテレビジョン映像信号の帰線消去期間中の走査線を利用した文字多重放送、アナログテレビジョン音声信号の副音声帯域を利用したデータ放送、ＦＭ多重データ放送あるいはデジタルデータ放送により放送する。このときにデータ利用の便のため、利用することができるデータのタイトルを記載した目次、あるいはデータの利用を促進するため、データの概要を説明する内容紹介を暗号化することなく供給することもできる。
【００６６】
ＣＡＴＶ放送局３１は、秘密鍵Ｋsdiを用いてデータＭを暗号化し、Ｃmksdi＝Ｅ（Ｋsdi，Ｍ）
ＣＡＴＶ回線により利用希望とは無関係に一方的に放送する。ユーザは、目次あるいは内容紹介に基づきＣＡＴＶ回線で放送されているデータの中から希望するデータを受信装置３４を用いてユーザ端末装置３８に取り込む。
【００６７】
ユーザは予め配布されてユーザ端末装置３８内の半導体メモリ，ハードディスク装置あるいはフレキシブルディスクに保存されているデータ管理センタの専用鍵Ｋvdを用いて暗号化秘密鍵Ｃksdikbdを復号化し、Ｋsdi＝Ｄ（Ｋvd，Ｃksdikbd）
復号化された秘密鍵Ｋsdiを用いて暗号化データＣmksdiを復号化し、Ｍ＝Ｄ（Ｋsdi，Ｃmksdi）
利用する。
【００６８】
暗号鍵を配布するためのその他の変形実施例を説明する。
［第５実施例］これまでに説明した実施例において、データ管理センタの公開鍵Ｋbdは通信回線経由ではなく放送局から放送されるため、それが真正なものであるか否か確認することができない。そのような場合にはデータ管理センタの公開鍵Ｋbdにデータ管理センタの専用鍵Ｋvdを用いてデジタル署名を行い、Ｓkbdkvd＝Ｅ（Ｋvd，Ｋbd）
データ管理センタの公開鍵Ｋbdとともにデジタル署名Ｓkbdkvdを放送する。ユーザは、受信したデータ管理センタの公開鍵Ｋbdを用いてデジタル署名Ｓkbdkvdを確認し、Ｋbd＝Ｄ（Ｋbd，Ｓkbdkvd）
それが真正なものであれば使用する。
【００６９】
［第６実施例］第５実施例においてデータ管理センタがデータベースの利用を予め登録する会員制を採用している場合には、さらに会員であるユーザの公開鍵Ｋbuiを予めデータ管理センタに登録しておく。データ管理センタは、データ管理センタの公開鍵Ｋbdを各ユーザの公開鍵Ｋbuiを用いて暗号化する。
Ｃkbdkbui＝Ｅ（Ｋbui，Ｋbd）
また、データ管理センタの公開鍵Ｋbdにデータ管理センタの専用鍵Ｋvdを用いてデジタル署名を行い、Ｓkbdkvd＝Ｅ（Ｋvd，Ｋbd）
ユーザ毎に異なる暗号化公開鍵Ｃkbdkbui及びデジタル署名Ｓkbdkvdを放送局に送り、放送局は受け取った暗号化公開鍵Ｃkbdkbui及びデジタル署名Ｓkbdkvdを放送する。このとき、必要ならば各ユーザの暗号化されていないユーザ識別情報を暗号化公開鍵Ｃkbdkbuiに付与して放送する。放送された暗号化公開鍵Ｃkbdkbui及びデジタル署名Ｓkbdkvdを受け取ったユーザはそのユーザの公開鍵Ｋvuiを用いてデータ管理センタの暗号化公開鍵Ｃkbdkbuiを復号化し、Ｋbd＝Ｄ（Ｋvui，Ｃkbdkbui）
復号化されたデータ管理センタの公開鍵Ｋbdをユーザの端末装置内に保存しておく。また、ユーザは、受信したデータ管理センタの公開鍵Ｋbdを用いてデジタル署名Ｓkbdkvdを確認し、Ｋbd＝Ｄ（Ｋbd，Ｓkbdkvd）
それが真正なものであれば保存されていたデータ管理センタの公開鍵Ｋbdを使用する。このようにすると、ユーザ個々に異なる暗号鍵を配布することができる。
【００７０】
［第７実施例］ユーザはデータ管理センタにアクセスする毎に又はリクエストする毎に自分の公開鍵Ｋbuをデータ管理センタに提示する。ユーザからのリクエストを受けたデータ管理センタは要求されたデータＭをユーザの公開鍵Ｋbuを用いて暗号化し、Ｃmkbu＝Ｅ（Ｋbu，Ｍ）
放送局に送り、放送局は受け取った暗号化データＣmkbuを放送する。放送された暗号化データＣmkbuを受信したユーザはユーザの専用鍵Ｋvuを用いて復号化して、Ｍ＝Ｄ（Ｋvu，Ｃmkbu）
利用する。
【００７１】
図５を用いて、本願発明の暗号鍵システムを使用した応用例を示す。この図に示された各応用例は電子情報交換システムを利用する電子マーケット取引に、（ａ）に示されたものは小売店が行うクレジット決済に、（ｂ）に示されたのは電子小切手による決済に、（ｃ）に示されたのはメーカ等が行う卸売販売に、各々これらの暗号鍵システムを適用した場合の構成である。これらのシステムは、秘密鍵方式に加えてデジタル署名が利用され、ユーザ４２、インターネット上のＷＷＷ（World Wide Web）サーバである小売店４３、金融機関４４あるいはメーカ等である卸売店４５から構成される。
【００７２】
［第８実施例］（ａ）に示された小売店におけるクレジット決済において、小売店４３は発注書のフォーマット、クレジットカードフォーマット、広告、カタログ、予告編、製品説明、データベースの内容紹介や目次／料金表／価格表などのデータＭsを衛星４１あるいはＣＡＴＶ回線を経由して放送する。発注書フォーマット等のデータＭs及び小売店４３の公開鍵Ｋbsを受け取ったユーザ４２は、小売店４３の公開鍵Ｋbsを用いてユーザの秘密鍵Ｋsuを暗号化し、Ｃksukbs＝Ｅ（Ｋbs，Ｋsu）
広告、カタログ、製品説明、料金価格表等の情報に基づいて注文内容、支払金額、クレジットカード番号等の事項Ｍuを発注書にユーザ４２の秘密鍵Ｋsuを用いて暗号化して記入し、Ｃmuksu＝Ｅ（Ｋsu，Ｍu）
必要に応じて事項Ｍuを圧縮文書ｍuにしてユーザ４２の専用鍵Ｋvuを用いてデジタル署名を行い、Ｓmukvu＝Ｅ（Ｋvu，ｍu）
ユーザ４２の公開鍵Ｋbuを添付してネットワーク４７を経由して小売店４３に送信する。
【００７３】
発注書等を受け取った小売店４３は、小売店４３の専用鍵Ｋvsを用いてユーザ４２の暗号化秘密鍵Ｃksukbsを復号化し、Ｋsu＝Ｄ（Ｋvs，Ｃksukbs）
復号化されたユーザ４２の秘密鍵Ｋsuを用いて暗号化発注書Ｃmuksuを復号化し、Ｍu＝Ｄ（Ｋsu，Ｃmuksu）
受注処理を実行する。さらにユーザ４２が添付した公開鍵Ｋbuを用いてユーザ４２のデジタル署名Ｓmukvuを確認し、ｍu＝Ｄ（Ｋbu，Ｓmukvu）
ユーザ４２にネットワーク４７を経由してレシートを返信する。このシステムでは、発注書に記入されるクレジットカード番号を暗号化して送付しているためクレジット番号の盗用を防止することができる。
【００７４】
また、小売店４３が発注書フォーマット、クレジットカードフォーマット、広告、カタログ、予告編、製品説明、データベースの内容紹介や目次／料金表／価格表などのデジタルデータＭs1を圧縮文書ｍs1とし、これに小売店４３の専用鍵Ｋvsを用いてデジタル署名を行い、Ｓms1kvs＝Ｅ（Ｋvs，ｍs1）
小売店４３の公開鍵Ｋbsを添付して放送し、ユーザが小売店４３の公開鍵Ｋbsを用いてデジタル署名Ｓms1kvsを確認ｍs’＝Ｄ（Ｋbs，Ｓmskvs）
するようにすることにより、取引がより確実なものとなる。
【００７５】
［第９実施例］（ｂ）に示された電子小切手による決済において、金融機関４４はデジタルデータである無記載小切手フォーマットＭfに金融機関４４の公開鍵Ｋbfを添付して衛星４１あるいはＣＡＴＶ回線を経由して放送する。無記載小切手フォーマットＭfを受信したユーザ４２は、金融機関の公開鍵Ｋbfを用いてユーザ４２の秘密鍵Ｋsuを暗号化し、Ｃksukbf＝Ｅ（Ｋbf，Ｋsu）
支払先と支払金額についての事項Ｍuをユーザ４２の秘密鍵Ｋsuを用いて暗号化して記入し、Ｃmuksu＝Ｅ（Ｋsu，Ｍu）
必要に応じて事項Ｍuを圧縮文書ｍuとし、これにユーザ４２の専用鍵Ｋvuを用いてデジタル署名を行ってＳmukvu＝Ｅ（Ｋvu，ｍu）
ユーザ４２の公開鍵Ｋbuと、金融機関４４の公開鍵Ｋbfで暗号化されたユーザ４２の暗号化秘密鍵Ｃksukbfを添付してネットワーク４７を経由して金融機関４４に送信する。
【００７６】
記載済み小切手を受け取った金融機関４４は、金融機関の専用鍵Ｋvfを用いてユーザ４２の暗号化秘密鍵Ｃksukbfを復号化し、Ｋsu＝Ｄ（Ｋvf，Ｃksukbf）
復号化されたユーザの秘密鍵Ｋsuを用いて支払先と支払金額の暗号化データＣmuksuを復号化し、Ｍu＝Ｄ（Ｋsu，Ｃmuksu）
記載された内容を確認し、為替交換処理を実行する。さらにデジタル署名Ｓmukvuが有るものはユーザ４２が添付した公開鍵Ｋbuを用いてユーザ４２を確認し、ｍu’＝Ｄ（Ｋbu，Ｓmuksu）
確認書Ｍs2をユーザ４２が添付した公開鍵Ｋbuを用いて暗号化し、Ｃms2kbu＝Ｅ（Ｋbu，Ｍs2）
ネットワーク４７を経由してユーザ４２に返信する。
【００７７】
金融機関４４からの暗号化確認書Ｃms2kbuを受け取ったユーザは、ユーザ４２の専用鍵Ｋvuを用いて暗号化確認書Ｃms2kbuを復号化してＭs2＝Ｄ（Ｋvu，Ｃms2kbu）
内容を確認する。このシステムによれば、支払先と支払金額を暗号化して小切手に記入しているため小切手に記載された内容の盗用を防止することができる。
【００７８】
また、デジタルデータである無記載小切手フォーマットＭfを圧縮文書ｍfとし、これに金融機関４４の専用鍵Ｋvfを用いてデジタル署名を行い、Ｓmfkvf＝Ｅ（Ｋvf，ｍf）
金融機関４４の公開鍵Ｋbfを添付して放送し、ユーザが金融機関４４の公開鍵Ｋbfを用いてデジタル署名Ｓmskvfを確認ｍf’＝Ｄ（Ｋbf，Ｓmfkvf）
するようにし、さらに確認書Ｍsを圧縮文書ｍsとし、これにユーザが添付した公開鍵Ｋbuを用いてデジタル署名を行うＳmskbu＝Ｅ（Ｋbu，ｍs）
ようにすることにより、金融機関が記入者を確認することができる。
【００７９】
［第１０実施例］（ｃ）に示されたメーカ等の卸売店４５において、卸売店４５は見積依頼書フォーマットＭw1を圧縮データｍw1としこれに卸売店４５の専用鍵Ｋvwを用いてデジタル署名を行い、Ｓmw1kvw＝Ｅ（Ｋvw，ｍw1）
卸売店４５の公開鍵Ｋbwを添付して衛星４１あるいはＣＡＴＶ回線を経由して放送する。放送された見積依頼書フォーマットＭw1と卸売店４５の公開鍵Ｋbwを受け取った小売店であるユーザ４２は、見積依頼書Ｍuを卸売店４５の公開鍵Ｋbwを用いて暗号化し、Ｃmukbw＝Ｅ（Ｋbw，Ｍu）
ネットワーク４７を経由して卸売店４５に送信する。このとき、必要に応じて見積依頼書Ｍuを圧縮データｍuとし、これにユーザ４２の専用鍵Ｋvuを用いてデジタル署名を行って、Ｓmkvu＝Ｅ（Ｋvu，ｍu）
ユーザ４２の公開鍵Ｋbuとともに卸売店４５に送信する。
【００８０】
暗号化見積依頼書Ｃmukbwを受け取った卸売店４５は、卸売店４５の専用鍵Ｋvwを用いて暗号化見積依頼書Ｃmukbwを復号化し、Ｍu＝Ｄ（Ｋvu，Ｃmukbw）
記載された見積依頼内容Ｍuを確認し、見積作業を実行する。さらにデジタル署名Ｓmkvuがされている場合には送信されたユーザ４２の公開鍵Ｋbuを用いてデジタル署名を確認し、ｍu＝Ｄ（Ｋbu，Ｓmkvu）
見積依頼書を確認する。見積作業を行った卸売店４５は、見積書Ｍw2をユーザ４２の公開鍵Ｋbuを用いて暗号化し、Ｃmw2kbu＝Ｄ（Ｋbu，Ｍw2）
ネットワーク４７を経由してユーザ４２に送信する。
【００８１】
卸売店４５の暗号化見積書Ｃmw2kbuを受け取ったユーザ４２は、ユーザ４２の専用鍵Ｋvuを用いて復号化する。
Ｍw2＝Ｄ（Ｋvu，Ｃmw2kbu）
このシステムによれば、公開鍵と専用鍵を使用しているため、見積書の内容が盗用されるおそれがなく、ユーザ毎に異なる見積を行うことができる。
【００８２】
これら（ａ）〜（ｃ）に示されたシステムにおいては、秘密性を要しない各種フォーマット及び広告とを衛星放送あるいはＣＡＴＶ放送によって放送するため、データの送信を効果的に行うことができる。
【００８３】
以上説明したように、本発明の暗号鍵システムを用いることによりこれまで別々にシステムとして存在してきたテレビジョン放送あるいは音声放送等の一般的な情報メディアとコンピュータを用いたデータ通信メディアとを融合したマルティメディアシステムを実現することができる。以下、マルティメディアシステムを実現した具体的な構成を説明する。
【００８４】
現行のテレビジョン放送は地上波放送、衛星放送あるいはＣＡＴＶ放送によりアナログ方式で行われ、一方最も一般的なデータ通信回線は電線を利用した公衆回線である。このようなシステム構成においてビデオオンデマンドを実現するシステムとして基本的な構成は図２に示された第１実施例の暗号鍵システムを利用することができる。放送局はアナログテレビジョン放送番組の垂直帰線期間の走査線にあるいは音声帯域の副音声帯域に多重して放送局の公開鍵Ｋbbを放送する。
【００８５】
テレビジョン番組利用希望者は自分の秘密鍵Ｋsuを放送された放送局の公開鍵Ｋbbを用いて暗号化し、Ｃksukbb＝Ｅ（Ｋbb，Ｋsu）
暗号化秘密鍵Ｃksukbbを通信回線を経由して放送局に送信して利用申込を行う。
【００８６】
放送局は放送局の専用鍵Ｋvbを用いて利用希望者の暗号化秘密鍵Ｃksukbbを復号化し、Ｋsu＝Ｄ（Ｋvb，Ｃksukbb）
復号された秘密鍵Ｋsuを用いて放送番組をスクランブルし、放送する。
【００８７】
利用希望者は自分の秘密鍵Ｋsuを用いてスクランブルされた放送番組のスクランブルを解除して利用する。このような構成を採ることにより、利用希望者以外の者が番組を利用することは不可能になる。
【００８８】
このようなシステム構成においてビデオオンデマンド及びペイパービューを実現するシステムとして基本的な構成は図４に示された第４実施例あるいは第５実施例の暗号鍵システムを利用することができる。放送局３１はアナログテレビジョン放送番組の垂直帰線期間の走査線に、あるいは音声帯域の副音声帯域に多重して放送局３１の公開鍵Ｋbbを用いて放送局３１の秘密鍵Ｋsbを暗号化し、Ｃksbkbb＝E（Ｋbb，Ｋsb）
通信回線３７を経由して放送する。
【００８９】
テレビジョン番組利用希望者３８は自分の公開鍵Ｋbuを通信回線３７を経由して放送局３１に送信して利用申込を行う。放送局３１は放送局の秘密鍵Ｋsbを用いて放送番組をスクランブルし、通信回線３７を経由して放送する。そのとき放送局３１の専用鍵Ｋvbが利用希望者３８の公開鍵Ｋbuで暗号化されＣkvbkbu＝E（Ｋbu，Ｋvb）
通信回線３７を経由して放送される。
【００９０】
利用希望者３８は自分の専用鍵Ｋvuを用いて放送局３１の暗号化専用鍵Ｃkvbkbuを復号化し、Ｋvb＝Ｄ（Ｋvu，Ｃkvbkbu）
復号された放送局３１の専用鍵Ｋvbを用いて放送局３１の暗号化秘密鍵Ｃksbkbbを復号化し、Ｋsb＝Ｄ（Ｋvb，Ｃksbkbb）
復号された放送局３１の秘密鍵Ｋsbを用いてスクランブルされた放送番組のスクランブルを解除して利用する。このような構成を採ることにより、利用希望者以外の者が番組を利用することは不可能になる。
【００９１】
さらに、この暗号鍵システムは最近盛んに行われているテレビジョン放送と電話とを組み合わせたテレビショッピングにも適用することができる。現在行われているアナログテレビジョン放送を利用したテレビジョンショッピングは、テレビジョン画面に商品紹介と販売方法を表示し、利用者は販売方法に関する情報を手で記録し、記録された情報に基づいて電話を用いて購入申込を行っている。これに対して、本発明の暗号鍵システムにおいてはアナログテレビジョン放送の垂直帰線期間の走査線あるいは音声帯域の副音声帯域に発注書フォーマット、小切手フォーマットのデータを多重して送信することを提案する。一方、パーソナルコンピュータとテレビジョン装置を一体化したパソコンテレビと呼ばれる装置、あるいはＩＣカード、ＰＣカードあるいは挿入ボードとして実現されるビデオキャプチャ装置とパーソナルコンピュータを組み合わせた装置により、テレビジョン画像を取り込むことが行われている。
【００９２】
これらの発注書フォーマット、小切手フォーマットの多重データとビデオキャプチャ装置を組み合わせることにより電子的にテレビショッピングを行うことができる。このテレビショッピングにおいて、テレビショッピングの商品紹介画面が放送されているときに、垂直帰線期間の走査線あるいは音声帯域の副音声帯域で発注書フォーマット、小切手フォーマットがデータ多重されて放送される。購入を希望する商品の紹介画面が表示されているときに、利用者が操作をするとその静止画面とともに発注書フォーマット、小切手フォーマットのデータが取り込まれる。利用者は取り込まれた発注書フォーマット、小切手フォーマットに必要事項を記入し、購入申込を行う。このとき取引の安全性を図るために第１実施例から第５実施例に説明されたシステムにより、公開鍵方式あるいは秘密鍵方式による暗号化及びデジタル署名が行われる。このとき、発注書及び小切手とともに商品紹介の静止画面を添付して購入申込を行うようにすれば、取引内容の確認を行うことができる。
【００９３】
簡易な方法としては、発注書フォーマット及び小切手フォーマットもテレビジョン画像として送信し、静止画面として取り込まれた発注書フォーマット及び小切手フォーマットに必要事項を記入するようにしてもよい。また、発注書フォーマット及び小切手フォーマットは音声帯域の副音声帯域に多重されるファクシミリ放送で送信することもできる。
【００９４】
このような方法を採用することにより、テレビショッピングにより、現行のアナログテレビジョン方式によっても電子情報交換（ＥＤＩ）を利用した電子マーケットを実現することができる。
【００９５】
これらのビデオオンデマンドシステム及びペイパービューシステムはアナログテレビジョン放送以外のデジタルテレビジョン放送に対しても適用可能である。通信回線としてＣＡＴＶ回線を使用した場合には放送とデータ通信の双方をこのＣＡＴＶ回線のみによって行うことが可能である。
【００９６】
また、これらのビデオオンデマンドシステム及びペイパービューシステムは、低速の一般公衆回線あるいは高速のＩＳＤＮ（Integrated Services Digital Network）回線を利用したコンピュータ通信ネットワークシステム、さらには複数のコンピュータ通信ネットワークシステムを接続したインターネットシステムにおいて行われている高品質音声データ及び動画データの送受信に対しても適用可能である。
【００９７】
使用する装置としてはテレビジョン受像装置に受信装置及び通信装置を組み込むこともできるが、セットトップボックス等を用いて別体に構成することもできる。また、最近徐々に普及しつつあるパーソナルコンピュータとテレビジョン装置を一体化したパソコンテレビと呼ばれる装置、あるいはパーソナルコンピュータにテレビジョン信号を送り込むＩＣカード、ＰＣカードあるいは挿入ボードとして実現されるビデオキャプチャ装置を組み合わせて構成することもできる。
【図面の簡単な説明】
【００９８】
【図１】先願発明の暗号鍵システムの構成図。
【図２】本願発明第１実施例の暗号鍵システムの構成図。
【図３】本願発明第２実施例の暗号鍵システムの構成図。
【図４】本願発明第３実施例及び第４実施例の暗号鍵システムの構成図。
【図５】本願発明を応用した第５実施例の構成図。
【符号の説明】
【００９９】
１，１１ 放送局
２，１２ データベース
３，１３，２３ 課金センタ
４，１４，２４，３４ 受信装置
５，１５，２５，３５ データ通信装置
６，１６ 電波
７，１７，２７，３７，４７ 通信回線
８，１８，２８，３８ ユーザ端末装置
２１，３１ ＣＡＴＶ局
３３ 管理センタ
４１ 人工衛星
４２ ユーザ
４３ 小売店
４４ 金融機関
４５ 卸売店
【図１】
2006180562.tif 000003
【図２】
2006180562.tif 000004
【図３】
2006180562.tif 000005
【図４】
2006180562.tif 000006
【図５】
2006180562.tif 000007
【手続補正書】
【提出日】平成18年4月13日(2006.4.13)
【手続補正１】
【補正対象書類名】特許請求の範囲
【補正対象項目名】全文
【補正方法】変更
【補正の内容】
【特許請求の範囲】
【請求項１】
ＣＡＴＶ放送局、データ管理センタ、受信装置、データ通信装置及びユーザ端末装置から構成される暗号鍵システムであって：前記暗号鍵システムは、
ユーザの公開鍵を予め前記データ管理センタに登録しておき；
前記データ管理センタは、前記データ管理センタの公開鍵を前記各ユーザの公開鍵を用いて暗号化し、前記データ管理センタの専用鍵を用いて前記データ管理センタの公開鍵にデジタル署名を行い；
暗号化された前記データ管理センタの公開鍵及び前記データ管理センタのデジタル署名をＣＡＴＶ放送局に送信し；
前記ＣＡＴＶ放送局は暗号化された前記データ管理センタの公開鍵及びデジタル署名を放送し；
前記ユーザは前記ユーザの公開鍵を用いて受信した前記データ管理センタの暗号化公開鍵を復号化するとともに前記復号化されたデータ管理センタの公開鍵を用いてデジタル署名を確認する暗号鍵システム。
【請求項２】
さらに、各ユーザの暗号化されていないユーザ識別情報が暗号化された前記データ管理センタの公開鍵に付与して放送されるクレーム１の暗号鍵システム。